(57)【要約】【目的】この考案は、住宅の基礎をプラスチック性の半生パネルで、作るといった、半生プラスチック基礎パネルに関するものである。【構成】住宅のコンクリート基礎（８）を作る時に、コンパネ、鉄パネルなどをつかわずに、プラスチック、ビニールなどを、半生にとかした、半生プラスチック基礎パネル（大１）（中２）（小３）の三種類のパネルを使用し、各パネルの両側に、テーパーのついたオスアリ（７）をもうけて、それぞれの長さを同じにしておき、きることはせずに使用し、コーナージョイント（４）中間ジョイント（５）のメスアリ（７′）に各パネルの、下部からたたいてつなげて固定し、プラスチック性、鉄性のセパ（９）を入れて、外側に出ているネジ部にナット（１０）でしめて固定する。そしてパネルを直角にするために、コーナーに、火ウチ（６）を使用する。【選択図】図１
0003107492.tif 000002
【実用新案登録請求の範囲】
【請求項１】
イ）住宅のコンクリート基礎（８）を作るときに、プラスチック性、ビニール性などの半生板を使用した、半生プラスチック基礎パネル（大１）（中２）（小３）の三種類のパネルを使用し、パネルの両側にテーパーのついたオスアリ（７）をもうけて、それぞれの長さを同じにしておき、きらずに使用する。
ロ）半生プラスチック基礎パネル（大１）（中２）（小３）の両側のオスアリ（７）をつなげるための、コーナージョイント（４）、中間ジョイント（５）のメスアリ（７′）に入れてつなげる。
ハ）半生プラスチック基礎パネル（大１）（中２）（小３）を固定して、かためるために、プラスチック、鉄性のセパ（９）を入れて、外側に出ているネジ部にナット（１０）でしめる。そして、直角にするために火ウチ（６）を使用する。
以上の如く構成された、半生プラスチック基礎パネル。
【考案の詳細な説明】
【考案の詳細な説明】
〔産業上の利用分野〕
【０００１】この考案は、住宅の基礎を作る時につかう、パネルを、半生プラスチック性の板を使用するといった、半生プラスチック基礎パネルに関するものである。
〔従来の技術〕
【０００２】従来、住宅の基礎を作る時は、コンパネ、鉄、アルミパネルといった物で、くみたてて、とりはずしていましたが、手間がかかりました。そしてプラスチック性、ビニール性のそだいゴミは、公害のもとでした。
〔考案が解決しようとする課題点〕
【０００３】本案は、その欠点を除いて、コンクリートをうちこんだあと、とりはずさないので手間が半分になり、そだいゴミになっていた、プラスチック性ビニール性のゴミなどを半生にとかし、板にして、リサイクルしようといった、基礎パネルを開発しようとするものである。
〔課題を解決するための手段〕
【０００４】いまその解決手段を図面に追いながら説明すれば、
イ）住宅のコンクリート基礎（８）を作る時に、プラスチック性、ビニール性などを半生にとかした、半生プラスチック基礎パネル（大１）（中２）（小３）の三種類のパネルを使用し各パネルの両側にテーパーのついたオスアリ（７）をもうけて、それぞれの長さを同じにしておき、きることなく使用する。
ロ）半生プラスチック基礎パネル（大１）（中２）（小３）の両側のオスアリ（７）をつなげるための、コーナージョイント、（４）、中間ジョイント（５）のメスアリ（７′）に入れてつなげる。
ハ）半生プラスチック基礎パネルに（大１）（中２）（小３）を固定して、かためるために、プラスチック性、鉄性のセパ（９）を入れて、外側に出ているネジ部にナット（１０）を入れてしめる。
ニ）直角にパネルをするために火ウチ（６）を使用する。
〔作用〕
【０００５】本案は、以上のような構造であるから、これを使用する時は、
イ）コーナジョイント（４）、中間ジョイント（５）は各パネルをつなげてちかずけてから上部からたたいてさげてゆくとよいと思います。
ロ  コンクリート基礎（８）の下部のすてコンを水平にあるていどしてプラスチックパネルの下部にクサビを入れて光線レベルで高低を見てパネルの水平を見る。
〔実施例〕
【０００６】本案の実施に当って次の如きことが出きる。
イ）どんな色の、そだいゴミのプラスチック、ビニール性のすべての物が使用できる
ロ）タイヤのそだいゴミも小さくすれば、パネルの中に入れることができるかもしれません。
〔考案の効果〕
【０００７】したがって、そだいゴミのプラスチック、ビニール性の物のリサイクルになり、とりはずしの手間がはぶけて、基礎の風化もふせげます。
【図面の簡単な説明】
【図１】本考案の全体実施上面図
【図２】本考案の全体実施側面図
【図３】本考案の図中（４）の拡大上面図
【図４】本考案の図中（５）の拡大上面図
【図５】本考案の図中（９）の拡大上面図
【図６】本考案の半生プラスチック基礎パネル（大１）（中２）（小３）の各側面図
【符号の説明】
１はパネル（大）
２はパネル（中）
３はパネル（小）
４はコーナージョイント
５は中間ジョイント
６は火ウチ
７はオスアリ
７′はメスアリ
８はコンクリート基礎
９はプラスチック、鉄性セパ
１０はプラスチック鉄性ナット．
【図１】
0003107492.tif 000003
【図２】
0003107492.tif 000004
【図３】
0003107492.tif 000005
【図４】
0003107492.tif 000006
【図５】
0003107492.tif 000007
【図６】
0003107492.tif 000008
【手続補正書】
【提出日】平成16年3月9日(2004.3.9)
【手続補正１】
【補正対象書類名】実用新案登録請求の範囲
【補正対象項目名】全文
【補正方法】変更
【補正の内容】
【実用新案登録請求の範囲】
【請求項１】
イ）プラスチックビニール性の基礎パネル大（１）、パネル中（２）、パネル小（３）の三種類を設ける。
ロ）パネル大（１）、中（２）、小（３）の両側にテーパーのついたオスアリ（７）を設ける。
ハ）パネル大（１）、中（２）、小（３）をつなげるために、メスアリ（７）′のついた半生プラスチック性の、コーナージョイント（４）、中間ジョイント（５）を設ける。
（ニ）パネル大（１）、中（２）小（３）がそれぞれの位置におさまったら固定しかためるために、プラスチック、鉄性のセパ（９）をパネルの穴に入れて外に出たネジ部にナット（１０）でしめつけてかため、コーナー内外を直角にするために火ウチ（６）を設ける。
以上の如く構成された、半生プラスチック基礎パネル。
【手続補正書】
【提出日】平成16年7月6日(2004.7.6)
【手続補正１】
【補正対象書類名】実用新案登録請求の範囲
【補正対象項目名】全文
【補正方法】変更
【補正の内容】
【実用新案登録請求の範囲】
【請求項１】
イ）住宅用のコンクリート基礎（８）に半生プラスチック基礎パネル大（１）、パネル中（２）、パネル小（３）の三種類のパネルを設ける。
ロ）パネルの寸法は、パネル大（１）が１８６ｃｍ、パネル中（２）が９３ｃｍ、パネル小（３）が１６ｃｍとして設ける。
ハ）半生プラスチック基礎パネル大（１）、パネル中（２）、パネル小（３）の両側たて全体にテーパーをつけた、オスアリ（７）を設ける。
ニ）半生プラスチック基礎パネル大（１）、パネル中（２）、パネル小（３）を結合するためにメスアリ（７′）のついた、コーナージョイント（４）、中間ジョイント（５）を設ける。
ホ）半生プラスチック基礎パネル大（１）、パネル中（２）、パネル小（３）をかためるためにセパ（９）ナット（１０）を設ける。
ヘ）半生プラスチック基礎パネル大（１）、パネル中（２）、パネル小（３）の各パネルが所定の位置におさまったら、すみ部を直角にするために火ウチ（６）を設ける。
以上の如く構成された、半生プラスチック基礎パネル。
【手続補正書】
【提出日】平成16年7月20日(2004.7.20)
【手続補正１】
【補正対象書類名】実用新案登録請求の範囲
【補正対象項目名】全文
【補正方法】変更
【補正の内容】
【実用新案登録請求の範囲】
【請求項１】
イ）住宅用のコンクリート基礎（８）を作る時に、フラワーポットに使用していた、プラスチック、ビニールなどを半生にとかした板の半生プラスック基礎パネル大（１）、パネル中（２）、パネル小（３）の三種類を設け、３尺を１ｍとしてメートル法で設ける。
ロ）コンクリート基礎（８）が、パネルの、心々で２０ｃｍ用の場合は、半生プラスチック基礎パネル大（１）は１８７．２ｃｍパネル中（２）は９３．６ｃｍ、パネル小（３）は１６ｃｍとして設ける。
ハ）生プラスチック基礎パネル大（１）、パネル中（２）、パネル小（３）の両側のたて全体にテーパーのついたオスアリ（７）を設ける。
ニ）半生プラスチック基礎パネル大（１）、パネル中（２）、パネル小（３）をそれぞれに組み合わせるために、コーナージョイント（４）、中間ジョイント（５）の心々から２ｃｍの位置にメスアリ（７′）を設ける。
ホ）半生プラスチック基礎パネル大（１）、パネル中（２）、パネル小（３）をかためるために、セパ（９）、ナット（１０）と、すみ部に火ウチ（６）を設ける。
以上の如く構成された、半生プラスチック基礎パネル。
【手続補正２】
【補正対象書類名】図面
【補正対象項目名】全図
【補正方法】変更
【補正の内容】
【図１】
0003107492.tif 000009
【図２】
0003107492.tif 000010
【図３】
0003107492.tif 000011
【図４】
0003107492.tif 000012
【図５】
0003107492.tif 000013
【図６】
0003107492.tif 000014
【手続補正書】
【提出日】平成16年7月23日(2004.7.23)
【手続補正１】
【補正対象書類名】実用新案登録請求の範囲
【補正対象項目名】全文
【補正方法】変更
【補正の内容】
【実用新案登録請求の範囲】
【請求項１】
イ）住宅用のコンクリート基礎（８）を作る時に、フラワーポットに使用していた、プラスチック、ビニールなどを半生にとかした板の半生プラスック基礎パネル大（１）、パネル中（２）、パネル小（３）の三種類を設け、３尺を１ｍとしてメートル法で設ける。
ロ）コンクリート基礎（８）が、パネルの、心々で２０ｃｍ用の場合は、半生プラスチック基礎パネル大（１）は１９６ｃｍ、パネル中（２）は９６ｃｍ、パネル小（３）は１６ｃｍとして設ける。
ハ）半生プラスチック基礎パネル大（１）、パネル中（２）、パネル小（３）の両側のたて全体にテーパーのついたオスアリ（７）を設ける。
ニ）半生プラスチック基礎パネル大（１）、パネル中（２）、パネル小（３）をそれぞれに組み合わせるために、コーナージヨイント（４）、中間ジヨイント（５）の心々から２ｃｍの位置にメスアリ（７′）を設ける。
ホ）半生プラスチック基礎パネル大（１）、パネル中（２）、パネル小（３）をかためるために、セパ（９）、ナット（１０）と、すみ部に火ウチ（６）を設ける。
0003107492.tif 000015
【手続補正２】
【補正対象書類名】図面
【補正対象項目名】全図
【補正方法】変更
【補正の内容】
【図１】
0003107492.tif 000016
【図２】
0003107492.tif 000017
【図３】
0003107492.tif 000018
【図４】
0003107492.tif 000019
【図５】
0003107492.tif 000020
【図６】
0003107492.tif 000021
【手続補正書】
【提出日】平成16年8月10日(2004.8.10)
【手続補正１】
【補正対象書類名】実用新案登録請求の範囲
【補正対象項目名】全文
【補正方法】変更
【補正の内容】
【実用新案登録請求の範囲】
【請求項１】
イ）住宅用のコンクリート基礎（８）を作る時に、フラワーポットに使用していた、プラスチック、ビニールなどを半生にとかした板の半生プラスチック基礎パネル大（１）、パネル中（２）、パネル小（３）の三種類を設け、３尺を１ｍとしてメートル法で設ける。
ロ）コンクリート基礎（８）が、パネルの、心々で２０ｃｍ用の場合は、半生プラスチック基礎パネル大（１）は１８６ｃｍ、パネル中（２）は８６ｃｍ、パネル小（３）は１６ｃｍとして設ける。
ハ）半生プラスチック基礎パネル大（１）、パネル中（２）、パネル小（３）の両側のたて全体にテーパーのついたオスアリ（７）を設ける。
ニ）半生プラスチック基礎パネル大（１）、パネル中（２）、パネル小（３）をそれぞれに組み合わせるために、コーナージョイント（４）、中間ジョイント（５）の心々から２ｃｍの位置にメスアリ（７′）を設ける。
ホ）半生プラスチック基礎パネル大（１）、パネル中（２）、パネル小（３）をかためるために、セパ（９）、ナット（１０）と、すみ部に火ウチ（６）を設ける。
0003107492.tif 000022
【手続補正２】
【補正対象書類名】図面
【補正対象項目名】全図
【補正方法】変更
【補正の内容】
【図１】
0003107492.tif 000023
【図２】
0003107492.tif 000024
【図３】
0003107492.tif 000025
【図４】
0003107492.tif 000026
【図５】
0003107492.tif 000027
【図６】
0003107492.tif 000028